(57)【要約】      （修正有）【課題】バーコード読み取り可能にした携帯電話を提供する。【解決手段】スライド式の半透過反射板レンズを携帯電話の左角に組み込み、該レンズブロックを撮像素子と光学レンズの垂直線上にスライドさせ、撮像素子の周辺部に配置された光源の光線を半透過反射板レンズにて紙面のバーコードに照射し、その反射光を同レンズを透過させ、撮像素子で受け、バーコードをイメージ画像として読み込む。携帯電話で通常の写真撮影の場合は、半透過反射板レンズを撮像素子の垂直線上の隣の位置に配した状態で使用する。【選択図】図４
0003144146.tif 000002
【実用新案登録請求の範囲】
【請求項１】
スライド式の半透過反射板レンズを配し、当該レンズに横又は斜め方向から光を照射させ当該レンズにてバーコード面に反射させ反射光を同レンズを透過させ撮像素子で受光させる事により一次元バーコードの読取が可能な、同レンズの移動により同レンズを透過させない状態での利用を前提とする通常の写真撮影も可能な事を特徴とする携帯電話。
【請求項２】
手動でのバーコード読取時の移動量と傾きと移動スピードのムラの補整の為に一定間隔のバーコードと、スタートとエンドコードとパリティデジットを含む文字コードデータを上下に配した一次元バーコードの読取に対応した携帯電話。
【請求項３】
インターフェイス変換ケーブルを介して携帯電話で取り込んだＵＲＬやメールアドレスをパソコンに接続する事によりパソコンへコピー貼り付けが可能な事を特徴とする携帯電話。
【請求項４】
一次元バーコード読取状態の携帯電話において、一次元バーコードのスキャン開始位置の位置あわせる為に撮像素子の映像を液晶画面にリアルタイムで表示させ、手の横移動の動作にて精細なバーコードも精度良く正確に取り込みが行える事を特徴とする携帯電話。
【考案の詳細な説明】
【技術分野】
【０００１】現在、携帯電話は、メールや通話機能に加え、インターネット閲覧に利用され、会社や学校や家庭等に普及しています。
【背景技術】
【０００２】本考案は、二次元バーコードに加え、雑誌やカタログ等へのＵＲＬ等を掲載する上でレイアウトのフレキシビリティに富んだ幅の短い一次元バーコードの読取が可能な携帯電話に関するものである。
【考案の開示】
【考案が解決しようとする課題】
【０００３】現在、二次元バーコードにてＵＲＬ等を携帯電話のカメラで撮影するだけで正確にＵＲＬを携帯電話に取り込めます。しかし二次元バーコードは新聞や雑誌では正方形のスペースを占有し、大きな広告スペースの場合に限定的に利用されており、携帯電話やパソコン用のＵＲＬは新聞や雑誌やカタログ等に活字で多数印刷されている。  幅の狭い横長の一次元バーコードが携帯電話やこれを介してパソコンへ取り込めたら、より簡便なネットコンピューティング社会が築けます。
携帯電話は、携帯性の向上を目指した薄型化が進展しており、電話機本体の薄さを大きく損ねずに、通常のカメラ撮影に加え、バーコード読取への潜在ニーズや期待されている。現在、携帯電話機にはカメラ機能の高性能化の為、画素数の極めて大きな撮像素子が搭載されている。その優れた撮像能力をフルに活かし、現在のカメラ付き携帯電話の携帯性とコストを大きく損ねずに一次元バーコードの読取機能の付加が求められている。
携帯電話の底面にカメラ撮影を兼ねた一次元バーコード読取部を配し、当該読取部で一次元バーコードをなぞる事も考えられるが、紙面と携帯電話が密着する為、バーコード読取の為に必須の光源が確保できない課題がある。しかし仮に半透過反射レンズを配する事により光源の確保が可能となるも、通常時の写真撮影対象の光情報が同レンズを透過する事により撮像素子への光量の減少を来たし、色鮮やかな精細な撮影が困難となる。
【課題を解決するための手段】
【０００４】本考案は、携帯電話に搭載されているカメラの光学レンズと撮像素子を使用しつつ、スライド式の半透過反射板レンズを携帯電話の左角に組み込み、周辺部に光源を配し、専用の一次元バーコードを携帯電話で手動でなぞる事により、ＵＲＬやメールアドレス等を携帯電話に取り込み、携帯電話でＨＰを閲覧したり、メールアドレスを入力したり、更にＵＳＢケーブルの接続により更にインターネットに接続されたパソコンへのコピー貼り付けを可能にするものです。
携帯電話で通常の写真撮影の場合は、半透過反射板レンズを撮像素子の垂直線上の隣の位置に配した状態で使用する。一次元バーコードを取り込む際は、スライド式の同レンズブロックを撮像素子と光学レンズの垂直線上にスライドさせ、撮像素子の周囲部に配置された光源の光線を半透過反射板レンズにて紙面のバーコードに照射し、その反射光を同レンズを透過させ撮像素子で受け、一定間隔で印刷された移動量と手動スキャンの傾斜検知を目的のバーコードとデータコードデータからなるバーコードを横長のイメージ画像として正確に読み込み、二値化し、手動操作によるスキャンのばらつきや傾きを補整し、文字コードに変換し、パリティにて検証し確認の上で携帯電話に文字や記号コードとして取り込み、複数個のＵＲＬ等をメモリーに保存するものです。パリティチェックでエラーを表示、ブザーを鳴らし、正確なバーコード取り込みを行う。液晶パネルの画面にスキャン開始位置記号の撮像データを表示させ、正確にバーコードをなぞらせるものです。
更に携帯電話のインターフェイスコネクターに接続されたケーブルを介してパソコン用のＵＳＢコネクターを介してパソコンに接続する事によりパソコンのＨＰ閲覧ソフトやメールソフトへの入力枠にコピー貼り付けによる取り込みが可能となり、携帯電話で外出先で雑誌や名刺より取り込んだＵＲＬやメールアドレス等を自宅のパソコンに正確にコピー貼り付けられる。
携帯電話では取り込んだ複数のＵＲＬやメールアドレスを日付や番号や名称の一覧にて管理でき、一覧画面からボタン操作により任意のコードをパソコンへコピー貼り付けを行う。更に携帯電話でも携帯電話用のＨＰを表示させたり、メールアドレス欄への貼り付けが可能な事を特徴としている。
【考案の効果】
【０００５】本考案は、携帯電話のデジタルカメラと薄型の半透過反射板レンズとＬＥＤの組み合わせにより写真撮影と二次元バーコード読み込みに加え、製品カタログやフリーペーパー等に印字する専用の一次元バーコードを携帯電話の撮像素子を使用して正確に取り込むものです。携帯電話の底面に配置されたスライドバー等を操作し、半透過反射レンズを撮像素子と光学レンズの垂直線上に移動、ＬＥＤを点灯させ、光を同レンズで反射させ、バーコード面に照射し、その反射光を同レンズを透過させ、撮像素子にて受光し、イメージ処理にて文字コードへの変換を行い、メモリーにＵＲＬやメールアドレス等として保存し、活用するものです。
携帯電話による一次元バーコードのスキャンに際しては、ＬＣＤに撮像素子にて取り込んでいるバーコード画像を表示させ、スタート位置の位置あわせとバーコードの正確な手動によるスキャンを行うものです。
【考案を実施するための最良の形態】
【０００６】本考案を実現するための最良の形態について説明します。本考案は今までの正方形のスペースをとる二次元バーコードとの比較で新聞や雑誌やカタログやパンフレット等へのレイアウト上のフレキシビリティに優れた一次元バーコードの読取が可能な携帯電話を目指すものです。これらのバーコードの読取を行う携帯電話としても薄型コンパクトな外形を維持しつつ、一次元バーコードの読取機能を付加するものです。スライド式の半透過反射板レンズとレンズ横に配置又は反射板を利用したＬＥＤとの組み合わせにより携帯性を維持しつつ、同機能を凝縮し、正確なバーコードの携帯電話への取り込み、パソコンへの転用を図るものです。
【実施例】
【０００７】図４にて携帯電話の具体的な実施例について説明します。本考案の携帯電話は、現在の色鮮やかな写真撮影と二次元バーコード取り込みに加え、精細な一次元バーコードを正確に携帯電話へ、文字記号コード情報として取り込めるものです。
【図面の簡単な説明】
【０００８】
【図１】本考案の携帯電話の底面の外観図。
【図２】本考案のカメラモードの携帯電話の上面の外観図。
【図３】本考案のバーコード読取モードの携帯電話の上面の外観図。
【図４】本考案の携帯電話の正面図の外観図。
【符号の説明】
【０００９】１  携帯電話の本体部
２  撮像素子、ＣＣＤ
３  半透過反射板レンズ
４  ＬＥＤ
５  光学レンズ
６  デジタルカメラ撮影窓、バーコード読取部
７  バーコード
８  紙面、雑誌、カタログ、パンフレット、名刺等
９  ＬＥＤの光線軸
１０  一次元バーコード
１１  読取開始、終了ボタン
１２  携帯電話の外部インターフェイス
１３  ケーブル
１４  ＵＳＢコネクター
１５  半透過反射板レンズの位置
１６  携帯電話の表示ブロック
１７  液晶パネル
１８  バーコードの読取方向
１９  バーコード用のスタート位置合わせ用マーク
【図１】
0003144146.tif 000003
【図２】
0003144146.tif 000004
【図３】
0003144146.tif 000005
【図４】
0003144146.tif 000006
【手続補正書】
【提出日】平成20年5月14日(2008.5.14)
【手続補正１】
【補正対象書類名】実用新案登録請求の範囲
【補正対象項目名】全文
【補正方法】変更
【補正の内容】
【実用新案登録請求の範囲】
【請求項１】
ＣＰＵとメモリーと液晶パネルとカメラと一次元バーコードの手によるスキャン読取の為のスライド式の半透過反射板レンズと光源から成る基本構造の携帯電話に於いて、スライド式の半透過反射板レンズをＣＣＤ垂直線上の位置に配し、一次元バーコード読取時に当該レンズの横又は斜め方向から光を照射し当該レンズにてバーコード面に照射し反射光を同レンズを透過させ撮像素子で受光しデジタル化し画像信号を処理しバーコード情報を文字記号情報に変換する事により一次元バーコードの読取が可能な、同レンズのスライド移動により同レンズを透過させない状態での利用を前提とする通常の写真撮影も可能な事を特徴とする携帯電話。
【請求項２】
前記の構造を採用した携帯電話に於いて、手動での携帯電話による一次元バーコードの読取時の移動量と傾きと移動スピードのムラの補整の為に一定間隔のバーコードとスタートとエンドコードとパリティデジットを含む文字コードデータを上下に配した一次元バーコードを、読み込み二値化し手動操作によるスキャンのばらつきや傾きを補整し文字コードに変換しパリティにて検証確認する手段より構成される電子回路にてデータ処理し、携帯電話に文字や記号コードとして取り込み、ＵＲＬの読取が可能な事を特徴とする請求項１に記載の携帯電話。
【請求項３】
前記の構造を採用した携帯電話に於いて、携帯電話で取り込んだＵＲＬ文字記号データをインターネットパソコンで利用する為に携帯電話に設けられたインターフェイス端子と汎用パソコンの間での文字記号コードデータの送信が可能なインターフェイス信号とコネクター形状に対応したインターフェイス変換ケーブルを介して携帯電話で取り込んだＵＲＬやメールアドレスをパソコンに接続する事によりパソコンへコピー貼り付けが可能な事を特徴とする請求項１に記載の携帯電話。
【請求項４】
前記の構造を採用した携帯電話に於いて、一次元バーコード読取状態の携帯電話に於いて、一次元バーコードのスキャン開始位置の位置あわせの為に撮像素子の映像を液晶画面にリアルタイムで表示させ、手の横移動の動作にて精細なバーコードも精度良く正確に取り込みが行える事を特徴とする請求項１に記載の携帯電話。